(57)【要約】【課題】ユーザが注意を払わなくても状況に応じて最適な動作モードに設定可能な携帯受信端末を提供すること。【解決手段】複数の動作モードの内のいずれかに設定される携帯受信端末は、当該携帯受信端末の動作モードの設定に係る制御情報を含む無線信号を受信する受信部と、受信部が受信した無線信号から制御情報を抽出する抽出部と、抽出部が抽出した制御情報が示す動作モードの設定の内容を解析する解析部と、解析部による解析結果に応じた当該携帯受信端末の動作モードの設定を行う動作モード設定部とを備える。【選択図】図１
2012222506.tif 000002
【特許請求の範囲】
【請求項１】
複数の動作モードの内のいずれかに設定される携帯受信端末であって、
当該携帯受信端末の動作モードの設定に係る制御情報を含む無線信号を受信する受信部と、
前記受信部が受信した無線信号から制御情報を抽出する抽出部と、
前記抽出部が抽出した制御情報が示す動作モードの設定の内容を解析する解析部と、
前記解析部による解析結果に応じた当該携帯受信端末の動作モードの設定を行う動作モード設定部と、
を備えたことを特徴とする携帯受信端末。
【請求項２】
請求項１に記載の携帯受信端末であって、
前記制御情報には、動作モードの設定変更を行うタイミングを示す時間情報と、設定変更後の動作モードを示す変更動作モード情報と、を含むことを特徴とする携帯受信端末。
【請求項３】
請求項２に記載の携帯受信端末であって、
前記設定変更後の動作モードは、
当該携帯受信端末の電源をオフする動作モード、当該携帯受信端末に対するバイブレーションモードの設定若しくは解除を行う動作モード、又は、当該携帯受信端末が通信信号の受発信の可否を行う動作モードであることを特徴とする携帯受信端末。
【請求項４】
請求項２又は３に記載の携帯受信端末であって、
当該携帯受信端末の電源をオフする動作モードを示す変更動作モード情報を含む制御情報は、当該携帯受信端末の電源をオフした後、再び電源をオンするタイミングを示す復帰時間情報と、当該携帯受信端末の電源をオフした後に前記復帰時間情報が示すタイミングで電源をオンすることを示す復帰動作モード情報と、を含み、
前記解析部は、前記復帰時間情報及び前記復帰動作モード情報を解析し、
前記動作モード設定部は、当該解析結果に応じて、当該携帯受信端末の電源を再びオンする動作を行うことを特徴とする携帯受信端末。
【請求項５】
請求項２〜４のいずれか一項に記載の携帯受信端末であって、
前記時間情報は、前記受信部による制御情報の受信からの指定時間を示す区間情報、又は、時刻情報であることを特徴とする携帯受信端末。
【請求項６】
請求項４に記載の携帯受信端末であって、
前記復帰時間情報は、前記受信部による制御情報の受信してからの指定時間若しくは当該携帯受信端末の電源をオフしてからの指定時間を示す区間情報、又は、時刻情報であることを特徴とする携帯受信端末。
【請求項７】
複数の動作モードの内のいずれかに設定される携帯受信端末と、当該携帯受信端末の動作モードの設定に係る制御情報を含む無線信号を送信する無線通信装置と、を備えた放送システムであって、
前記携帯受信端末は、
前記無線通信装置が送信した無線信号を受信する受信部と、
前記受信部が受信した無線信号から制御情報を抽出する抽出部と、
前記抽出部が抽出した制御情報が示す動作モードの設定の内容を解析する解析部と、
前記解析部による解析結果に応じた当該携帯受信端末の動作モードの設定を行う動作モード設定部と、
を有することを特徴とする放送システム。
【請求項８】
携帯受信端末を複数の動作モードの内のいずれかに設定する動作モード設定方法であって、
前記携帯受信端末の動作モードの設定に係る制御情報を含む無線信号を受信し、
受信した無線信号から制御情報を抽出し、
抽出された制御情報が示す動作モードの設定の内容を解析し、
解析結果に応じて当該携帯受信端末の動作モードの設定を行うことを特徴とする動作モード設定方法。
【請求項９】
コンピュータを請求項１〜６に記載の各部として機能させるための動作モード設定プログラム。
【発明の詳細な説明】
【技術分野】
【０００１】
本発明は、状況に応じた状態に設定する携帯受信端末、放送システム、動作モード設定方法及び動作モード設定プログラムに関する。
【背景技術】
【０００２】
特許文献１には、携帯端末装置のマナーモードの設定忘れや携帯端末装置の電源切り忘れ等を回避して周囲への迷惑を防ぐことが可能な技術が開示されている。図５に示すように、当該携帯端末装置では、受信した信号から制御コードを抽出し、制御コードが送信停止指示コードであれば送信回路へ送信停止指示信号を通知し、制御コードがマナーモード設定コードであれば通信制御及び通信回路へマナーモード設定指示を行う。また、当該携帯端末装置では、制御コードが送信停止指示信号の解除指示あるいはマナーモード解除指示信号であれば、送信停止指示あるいはマナーモード設定指示を解除する。
【０００３】
特許文献２には、携帯電話に代表される携帯通信端末の使用が好ましくない場所や場面に設置あるいは携帯された制御信号発信器とその制御信号の受信によって電源状態や動作モードを自動で変更する技術が開示されている。図６に示すように、当該携帯通信端末は、携帯電話に代表される携帯通信端末の使用が好ましくない場所や場面に設置あるいは携帯された条件に応じて決められた２通りの発信周期のうちいずれかの周期の制御信号を単独あるいは選択して継続発信する制御信号発信器が発する制御信号を制御エリア内で受信して、２通りの制御信号のうちのいずれかを認識しそれぞれに対応して電源状態や動作モードを自動で切り替え、設定された時間の経過後に切り替え前のモードへ自動で復帰する。
【先行技術文献】
【特許文献】
【０００４】
【特許文献１】特開２００５−２２９２２９号公報
【特許文献２】特開２００５−１３０４２２号公報
【発明の概要】
【発明が解決しようとする課題】
【０００５】
上記説明した特許文献１に係る技術では、携帯端末装置が制御コードを受信した時に状態を変更するのみである。しかし、携帯端末装置の使用を控えるべき場所には、入場と同時に使用を止めなければならない病院等といった場所の他、時間帯によっては問題なく使用できる劇場や映画館等の場所もある。劇場では、一般に、開場時間から開演時間までの間は携帯端末装置を使用しても問題ないため、携帯端末装置の電源を開演時間に切り終演時間に再び入れる制御が望ましい。映画館における上映時間に関しても同様である。
【０００６】
また、上記説明した特許文献２に係る技術では、携帯通信端末は、設定された時間の経過後に切り替え前のモードへ自動で復帰する。しかし、当該携帯通信端末は、予め設定された時間に従って切り替え前のモードに復帰するのみであるため、使用を控えるべきタイミングで携帯通信端末が切り替え前のモードに復帰する場合もある。例えば、劇場や映画館等の場所で携帯通信端末の使用を控えるべき時間は一定ではなく、公演や映画の題目毎に異なる。しかし、特許文献２に係る技術では、その都度異なる公演時間又は上映時間の終了タイミング等に応じた運用はされていない。
【０００７】
このように、上記説明した技術では、特定の場所において所望の時間帯のみ端末の状態を変更する制御は行われていないため、状況に応じてユーザが注意を払わないと端末は最適な動作モードには設定されない。
【０００８】
本発明の目的は、ユーザが注意を払わなくても状況に応じて最適な動作モードに設定可能な携帯受信端末、放送システム、動作モード設定方法及び動作モード設定プログラムを提供することである。
【課題を解決するための手段】
【０００９】
本発明は、複数の動作モードの内のいずれかに設定される携帯受信端末であって、当該携帯受信端末の動作モードの設定に係る制御情報を含む無線信号を受信する受信部と、前記受信部が受信した無線信号から制御情報を抽出する抽出部と、前記抽出部が抽出した制御情報が示す動作モードの設定の内容を解析する解析部と、前記解析部による解析結果に応じた当該携帯受信端末の動作モードの設定を行う動作モード設定部と、を備えた携帯受信端末を提供する。
【００１０】
上記携帯受信端末では、前記制御情報には、動作モードの設定変更を行うタイミングを示す時間情報と、設定変更後の動作モードを示す変更動作モード情報と、を含む。
【００１１】
上記携帯受信端末では、前記設定変更後の動作モードは、当該携帯受信端末の電源をオフする動作モード、当該携帯受信端末に対するバイブレーションモードの設定若しくは解除を行う動作モード、又は、当該携帯受信端末が通信信号の受発信の可否を行う動作モードである。
【００１２】
上記携帯受信端末では、当該携帯受信端末の電源をオフする動作モードを示す変更動作モード情報を含む制御情報は、当該携帯受信端末の電源をオフした後、再び電源をオンするタイミングを示す復帰時間情報と、当該携帯受信端末の電源をオフした後に前記復帰時間情報が示すタイミングで電源をオンすることを示す復帰動作モード情報と、を含み、前記解析部は、前記復帰時間情報及び前記復帰動作モード情報を解析し、前記動作モード設定部は、当該解析結果に応じて、当該携帯受信端末の電源を再びオンする動作を行う。
【００１３】
上記携帯受信端末では、前記時間情報は、前記受信部による制御情報の受信からの指定時間を示す区間情報、又は、時刻情報である。
【００１４】
上記携帯受信端末では、前記復帰時間情報は、前記受信部による制御情報の受信してからの指定時間若しくは当該携帯受信端末の電源をオフしてからの指定時間を示す区間情報、又は、時刻情報である。
【００１５】
本発明は、複数の動作モードの内のいずれかに設定される携帯受信端末と、当該携帯受信端末の動作モードの設定に係る制御情報を含む無線信号を送信する無線通信装置と、を備えた放送システムであって、前記携帯受信端末は、前記無線通信装置が送信した無線信号を受信する受信部と、前記受信部が受信した無線信号から制御情報を抽出する抽出部と、前記抽出部が抽出した制御情報が示す動作モードの設定の内容を解析する解析部と、前記解析部による解析結果に応じた当該携帯受信端末の動作モードの設定を行う動作モード設定部と、を有する放送システムを提供する。
【００１６】
本発明は、携帯受信端末を複数の動作モードの内のいずれかに設定する動作モード設定方法であって、前記携帯受信端末の動作モードの設定に係る制御情報を含む無線信号を受信し、受信した無線信号から制御情報を抽出し、抽出された制御情報が示す動作モードの設定の内容を解析し、解析結果に応じて当該携帯受信端末の動作モードの設定を行う動作モード設定方法を提供する。
【００１７】
本発明は、コンピュータを上記携帯受信端末の各部として機能させるための動作モード設定プログラムを提供する。
【発明の効果】
【００１８】
本発明に係る携帯受信端末、放送システム、動作モード設定方法及び動作モード設定プログラムによれば、ユーザが注意を払わなくても状況に応じて最適な動作モードに設定できる。
【図面の簡単な説明】
【００１９】
【図１】一実施形態の放送システムの構成を示すブロック図
【図２】制御情報のデータ構造の例を示す図
【図３】図１に示した放送システムにおける携帯受信端末１００の動作を示すフローチャート
【図４】図１に示した放送システムにおける携帯受信端末１００の動作を示すタイミングチャート
【図５】特許文献１の携帯端末装置の動作を示す図
【図６】特許文献２の携帯通信端末の代表的な使用形態を示す概念図
【発明を実施するための形態】
【００２０】
以下、本発明の実施形態について、図面を参照して説明する。
【００２１】
以下説明する放送システムは、ＩＳＤＢ−Ｔ方式の部分受信を利用したいわゆるワンセグ放送又はＩＳＤＢ−Ｔｍｍ方式を利用したマルチメディア放送を用いて、携帯受信端末に対してエリア及び／又は時間帯に限定したサービスを提供する。限定されるエリアは、例えば、劇場や映画館、学校等の敷地である。また、特定のエリアに限定されるサービスとは、例えば、当該エリアが劇場の場合には、当該劇場で公演を行うアーティスト又は当該劇場の今後の公演予定に関するコンテンツ等の放送波を用いた提供である。また、限定される時間帯は、限定されるエリアが劇場の場合には公演時間であり、限定されるエリアが映画館の場合には上映時間であり、限定されるエリアが学校の場合には授業時間である。
【００２２】
本実施形態の放送システムでは、特定のエリア内の携帯受信端末の電源をオン／オフしたりバイブレーションモードのオン／オフするための制御情報をマルチメディア放送の内のデータ放送を用いて配信する。なお、制御情報は、ＡＲＩＢ標準規格の１つであるＡＲＩＢ  ＳＴＤ−Ｂ２４「デジタル放送におけるデータ放送符号化方式と伝送方式（Data Coding and Transmission Specification for Digital Broadcasting）」で規定されたＢＭＬ（Broadcast Markup Language）の放送用拡張関数である。
【００２３】
図１は、一実施形態の放送システムの構成を示すブロック図である。図１に示すように、一実施形態の放送システムは、放送送出機５０と、放送送出機５０の放送エリア内の携帯受信端末１００とから構成される。放送送出機５０は、特定のエリアのみに限定した電波強度でマルチメディア放送を送出する。放送送出機５０は、マルチメディア放送送出部５１と、制御情報生成部５３とを有する。
【００２４】
マルチメディア放送送出部５１は、放送送出機５０が設置されたエリアにマルチメディア放送の放送波を送出する。なお、マルチメディア放送で送出されるコンテンツには、映像や音声、画像、文字等の他、携帯受信端末１００の動作モードを制御するための制御情報も含まれる。制御情報生成部５３は、携帯受信端末１００の動作モードを制御するための制御情報を生成する。
【００２５】
図２は、制御情報のデータ構造の例を示す図である。図２に示すように、制御情報には、サービスＩＤ、制御情報ＩＤ、制御種別、制御時間種別、時間又は時刻情報及び指定動作モードが項目として含まれる。サービスＩＤは、当該制御情報が、マルチメディア放送によって送出されたことを示す識別情報である。制御情報ＩＤは、制御情報個々の識別情報である。制御種別は、携帯受信端末１００の動作モードを変更するのか、変更前の状態に戻す、すなわち復帰するのかを示す情報である。
【００２６】
制御時間種別は、制御種別によって示された動作を所定時間経過後に行うのか、指定した時刻に行うのかを示す情報である。時間又は時刻情報は、制御時間種別によって示された形態に応じた具体的な時間又は時刻を示す情報である。指定動作モードは、時間になると携帯受信端末１００が行う動作モードの設定を示す。
【００２７】
なお、図２に示すように、指定動作モードには、例えば、「バイブレーションモードに設定」と、「バイブレーションモードを解除」と、「オフラインモードに設定」と、「オフラインモードを解除」と、「電源をオン」と、「電源をオフ」とが含まれる。バイブレーションモードとは、放送用電波の受信及び通信用電波の送受信を行うが、着信の通知やアラーム等を示す音声の鳴動は行わず、図示しないバイブレータによって通知するモードである。また、オフラインモード（セルフモード又は電波オフモードともいう）は、放送用電波の受信は行うが、通信用電波の送受信を行わないモードである。したがって、ユーザは、オフラインモードの携帯受信端末１００で、電話や電子メールの受発信やウェブ閲覧等ができない。なお、電源がオフされた携帯受信端末１００において、時計機能及びタイマー機能は動作している。
【００２８】
図２には、各指定動作モードに対して設定される制御情報の詳細が例（ａ）〜（ｊ）に示される。なお、図２中の（ａ）〜（ｊ）は、各々が１つの制御情報である。図２の例（ｉ），（ｊ）に示すように、指定動作モードが「電源をオフ」のときには、「電源をオン」するときの制御種別、制御時間種別及び時間又は時刻情報も併せて制御情報に含まれる。このとき、制御情報（ｉ）の制御情報ＩＤと制御情報（ｉ−１）又は（ｉ−２）の制御情報ＩＤは同じ値である。なお、制御時間種別は、制御種別間で時刻情報と区間情報が混在していても良い。
さらに、上記説明では、「電源オフ」の指定動作モードに「電源オン」も併せた例を説明したが、バイブレーションモード又はオフラインモードについてもその設定と解除を併せた制御情報であっても良い。このとき、設定に関する制御情報の制御情報ＩＤと解除に関する制御情報の制御情報ＩＤは同じ値である。
【００２９】
図１に示した携帯受信端末１００は、携帯電話等であって、マルチメディア放送を受信可能な端末である。携帯受信端末１００は、マルチメディア放送受信部１０１と、制御情報抽出部１０３と、メモリ１０５と、制御情報解析部１０７と、タイマー１０９と、指定時刻判定部１１１と、動作モード設定部１１３とを有する。
【００３０】
マルチメディア放送受信部１０１は、放送送出機５０が送出したマルチメディア放送の放送波を受信する。制御情報抽出部１０３は、マルチメディア放送受信部１０１が受信した放送波が示すデータをＢＭＬベースで解析して制御情報を抽出する。制御情報抽出部１０３は、抽出した制御情報をメモリ１０５に格納する。メモリ１０５は、制御情報抽出部１０３が抽出した制御情報を記憶する。
【００３１】
制御情報解析部１０７は、マルチメディア放送の放送波を受信中は一定間隔でポーリングすることでメモリ１０５から制御情報を読み出し、読み出した制御情報を解析する。制御情報解析部１０７は、制御情報を解析すると、制御情報の内容に応じた動作を行う。例えば、制御情報解析部１０７は、制御情報の時間又は時刻情報が時間を示す時間をタイマー１０９に設定し、同情報が示す時刻を指定時刻判定部１１１に設定する。
【００３２】
タイマー１０９は、制御情報解析部１０７によって設定された時間をカウントする。また、指定時刻判定部１１１は、制御情報解析部１０７によって設定された時刻となったかを判定する。動作モード設定部１１３は、タイマー１０９によってカウントされた時間に到達したとき、又は、指定時刻判定部１１１によって指定時刻になったと判定されたとき、制御情報が示す指定動作モードが示す動作モードの設定を行う。なお、動作モード設定部１１３によって動作モードの設定が完了した後、制御情報解析部１０７はメモリ１０５内の制御情報を削除する。
【００３３】
以下、図１に示した放送システムにおける携帯受信端末１００の動作について、図３及び図４を参照して説明する。図３は、図１に示した放送システムにおける携帯受信端末１００の動作を示すフローチャートである。図４は、図１に示した放送システムにおける携帯受信端末１００の動作を示すタイミングチャートである。
【００３４】
図３に示すように、マルチメディア放送受信部１０１がマルチメディア放送の放送波を受信する（ステップＳ１０１）。次に、制御情報抽出部１０３が放送波から制御情報を抽出する（ステップＳ１０３）。次に、制御情報抽出部１０３制御情報をメモリ１０５に格納する（ステップＳ１０５）。次に、制御情報解析部１０７が制御情報を解析する（ステップＳ１０７）。次に、制御情報解析部１０７は、制御情報の制御時間種別が区間情報か時刻情報かを判別し（ステップＳ１０９）、区間情報であればステップＳ１１１に進み、時刻情報であればステップＳ１１３に進む。
【００３５】
ステップＳ１１１では、タイマー１０９が制御情報の時間又は時刻情報が示す時間をカウントする。一方、ステップＳ１１３では、指定時刻判定部１１１が制御情報の時間又は時刻情報が示す時刻に到達したかを判定する。ステップＳ１１１又はステップＳ１１３の後、動作モード設定部１１３は、制御情報の指定動作モードが示す動作モードの設定を行う。次に、制御情報解析部１０７がメモリ１０５内の制御情報を削除する（ステップＳ１１７）。
【００３６】
以上説明したように、本実施形態によれば、携帯受信端末１００は、エリア及び／又は時間帯に限定されたマルチメディア放送の放送波に含まれる制御情報に基づいて、その動作モードを変更する。このように、ユーザによる操作がなくても所定のタイミングで動作モードが変わるため、ユーザが注意を払わなくても状況に応じて携帯受信端末１００を最適な動作モードに設定することができる。その結果、公演中、上映中又は授業中等に着信音の鳴動やバイブレータの作動等によって周囲に迷惑をかけることがない。また、公演、上映又は授業等が終了後にユーザが動作モードを元に戻す操作を行う必要がない。
【産業上の利用可能性】
【００３７】
本発明に係る携帯受信端末は、状況に応じて最適な動作モードに設定する携帯受信端末等として有用である。
【符号の説明】
【００３８】
５０  放送送出機
５１  マルチメディア放送送出部
５３  制御情報生成部
１００  携帯受信端末
１０１  マルチメディア放送受信部
１０３  制御情報抽出部
１０５  メモリ
１０７  制御情報解析部
１０９  タイマー
１１１  指定時刻判定部
１１３  動作モード設定部
【図１】
2012222506.tif 000003
【図２】
2012222506.tif 000004
【図３】
2012222506.tif 000005
【図４】
2012222506.tif 000006
【図５】
2012222506.tif 000007
【図６】
2012222506.tif 000008